(57)【要約】【課題】流入する水に含まれるごみを満遍なく、流路を閉塞させずに捕捉することができ、構成が簡単で設置も容易なごみ除去具を提供する。【解決手段】棒状部材又は／及びパイプ状部材を組み合わせて形成される支持部材１と、開口部４ａを有し、開口部から支持部材１を内部に収容し、開口部を閉じるか、開口部の開口の大きさを調整するための紐５を収容する収容部４ｂを開口部に沿って有する袋状の網体４と、網体４の収容部に収容される紐５とを備えるごみ除去具１０。支持部材１は、コの字状に形成される枠体２と、枠体の相対向する２つの棒状部材又は／及びパイプ状部材の各々に取り付けられる脚部３とを有し、網体４は、開口部が枠体に沿って開口するように枠体に紐５を介して取り付けることができる。網体４を網状シートを縫合して形成し、縫い代を網体４の内側に配置することが好ましい。支持部材１等を塩化ビニル管で構成することもできる。【選択図】図３
2019077997.tif 000002
【特許請求の範囲】
【請求項１】
棒状部材又は／及びパイプ状部材を組み合わせて形成される支持部材と、
開口部を有し、該開口部から前記支持部材を内部に収容し、該開口部を閉じるか、該開口部の開口の大きさを調整するための紐を収容する収容部を前記開口部に沿って有する袋状の網体と、
該網体の収容部に収容される紐とを備えることを特徴とするごみ除去具。
【請求項２】
前記支持部材は、コの字状に形成される枠体と、該枠体の相対向する２つの棒状部材又は／及びパイプ状部材の各々に取り付けられる脚部とを有し、
前記網体は、前記開口部が前記枠体に沿って開口するように該枠体に前記紐を介して取り付けられていることを特徴とする請求項１に記載のごみ除去具。
【請求項３】
前記支持部材は、コの字状に形成される枠体と、該枠体の相対向する２つの棒状部材又は／及びパイプ状部材の各々に取り付けられる腕部とを有し、
前記網体は、前記開口部が前記紐によって閉じられていることを特徴とする請求項１に記載のごみ除去具。
【請求項４】
前記網体は、網状シートを縫合して形成され、縫い代が該網体の内側に配置されていることを特徴とする請求項１、２又は３に記載のごみ除去具。
【請求項５】
前記支持部材は塩化ビニル管からなることを特徴とする請求項１乃至４のいずれかに記載のごみ除去具。
【発明の詳細な説明】
【技術分野】
【０００１】
本発明は、ごみ除去具に関し、特にＵ型側溝等や雨水貯留浸透設備に付設される角枡や丸枡等に取り付けられるごみ除去具に関する。
【背景技術】
【０００２】
側溝と集水枡が連結された水路に侵入したごみを除去するため、特許文献１には、集水枡内に配置されるゴミキャッチ装置が開示されている。このゴミキャッチ装置は、略々方形状に形成した枠体と脚部構成部材にて収集枠体を形成し、収集枠体及び脚部構成部材に沿って収集ネットを装着している。
【先行技術文献】
【特許文献】
【０００３】
【特許文献１】特開２０１６−１１３８６５号公報
【発明の概要】
【発明が解決しようとする課題】
【０００４】
上記特許文献１に記載のゴミキャッチ装置は、側溝の近傍に掘り下げられた集水枡に配置されるため、側溝を流れる水のうち、側溝から集水枡に流入する水のみに含まれる比較的重いごみしか捕捉することができず、改善の余地があった。
【０００５】
また、このようなゴミキャッチ装置を収集ネットの開口部が上流側を向くように側溝等の流路内に直接設置することも考えられるが、収集ネットに捕捉されたごみによって流路が閉塞し、水が流れ難くなるという問題があった。
【０００６】
そこで、本発明は上記問題点に鑑みてなされたものであって、流入する水に含まれるごみを満遍なく、流路を閉塞させずに捕捉することができ、構成が簡単で設置も容易なごみ除去具を提供することを目的とする。
【課題を解決するための手段】
【０００７】
上記目的を達成するため、本発明は、ごみ除去具であって、棒状部材又は／及びパイプ状部材を組み合わせて形成される支持部材と、開口部を有し、該開口部から前記支持部材を内部に収容し、該開口部を閉じるか、該開口部の開口の大きさを調整するための紐を収容する収容部を前記開口部に沿って有する袋状の網体と、該網体の収容部に収容される紐とを備えることを特徴とする。
【０００８】
本発明によれば、袋状の網体内に支持部材を収容するため、網体を支持部材に沿って取り付ける場合と比較して網体の表面積を増加させることができ、網体の形状が不安定であるため、網体に捕捉されたごみによる流路の閉塞が発生し難くなる。
【０００９】
上記ごみ除去具において、前記支持部材を、コの字状に形成される枠体と、該枠体の相対向する２つの棒状部材又は／及びパイプ状部材の各々に取り付けられる脚部とで構成し、前記網体を、前記開口部が前記枠体に沿って開口するように該枠体に前記紐を介して取り付けることができる。これにより、側溝用のごみ除去具を簡単に構成することができ、側溝にごみ除去具を圧入するだけで容易に設置することができ、流入する水に含まれるごみを満遍なく除去することができる。
【００１０】
一方、上記ごみ除去具において、前記支持部材を、コの字状に形成される枠体と、該枠体の相対向する２つの棒状部材又は／及びパイプ状部材の各々に取り付けられる腕部とで構成し、前記網体の開口部を前記紐によって閉じることもできる。これにより、各種枡用のごみ除去具を簡単に構成することができ、各種枡内にごみ除去具を載置するだけで容易に設置することができ、流入する水に含まれるごみを満遍なく除去することができる。
【００１１】
前記網体を、網状シートを縫合して形成し、縫い代を該網体の内側に配置することができる。これにより、網体の収容部の縫い代を枠体の外側に配置する場合よりも、網体の立体的形状を維持し易く、網体に捕捉されたごみによる流路の閉塞がさらに発生し難くなる。
【００１２】
前記支持部材を塩化ビニル管で構成することで、ごみ除去具の製造コストを低く抑えることができる。
【発明の効果】
【００１３】
以上のように、本発明によれば、流入する水に含まれるごみを満遍なく、流路を閉塞させずに捕捉することができ、構成が簡単で設置も容易なごみ除去具を提供することができる。
【図面の簡単な説明】
【００１４】
【図１】本発明に係るごみ除去具の第１の実施形態を構成する支持部材を示し、（ａ）は正面図、（ｂ）は側面図、（ｃ）は上面図である。
【図２】本発明に係るごみ除去具の第１の実施形態を示し、（ａ）は正面図、（ｂ）は側面図、（ｃ）は上面図である。
【図３】図２のごみ除去具をＵ型側溝に配置した場合を示す一部破断側面図である。
【図４】本発明に係るごみ除去具の第２の実施形態を構成する支持部材を示し、（ａ）は正面図、（ｂ）は側面図、（ｃ）は上面図である。
【図５】本発明に係るごみ除去具の第２の実施形態を示し、（ａ）は正面図、（ｂ）は側面図、（ｃ）は上面図である。
【図６】図５のごみ除去具を丸枡に取り付けた場合を示す一部破断正面図である。
【発明を実施するための形態】
【００１５】
次に、本発明を実施するための形態について、図面を参照しながら詳細に説明する。
【００１６】
本発明に係るごみ除去具の第１の実施形態に用いられる支持部材を図１に示す。支持部材１は、枠体２と脚部３からなり、枠体２は、直線状の塩化ビニル管（以下「塩ビ管」と略称する。）２ａと、塩ビ管２ａより長い２本の直線状の塩ビ管２ｅと、塩ビ管２ａと塩ビ管２ｅとの間に位置する短い塩ビ管２ｂと、塩ビ管２ａ、２ｂを連結する塩化ビニル製（以下「塩ビ製」と略称する。）Ｌ字管２ｃと、塩ビ管２ｂ、２ｅ及び後述する脚部３の塩ビ管３ｂを連結するＴ字管２ｄとで、全体的に略々コの字状に形成される。
【００１７】
一方、脚部３は、長短２種類の直線状の塩ビ管３ａ、３ｂを、塩ビ製連結管３ｃを介して連結することで各々形成され、短い方の塩ビ管３ｂを枠体２のＴ字管２ｄと連結することで、枠体２に一体化される。
【００１８】
上記構成を有する支持部材１を備える本発明に係るごみ除去具１０を図２に示す。このごみ除去具１０は、上記支持部材１に加え、開口部４ａから支持部材１を内部に収容し、この開口部４ａの開口の大きさを調整するためのポリロープ５を収容する収容部４ｂを開口部４ａに沿って有する袋状の網体４と、網体４の収容部４ｂに収容されるポリロープ（紐）５とを備える。
【００１９】
網体４は、例えば、メッシュ径９ｍｍ程度のポリエチレン樹脂等の網状シートを縫合してなる巾着袋状であって、この網体４は、開口部４ａから支持部材１を内部に収容し、ポリロープ５を介して開口部４ａの開口の大きさを枠体２（図１参照）に合わせて調整することで枠体２に取り付けられる。ここで、網体４の縫い代が網体４の内側に配置されるように網体４を枠体２に取り付けることで、縫い代が外側にある場合と比較して網体４の立体的形状を維持し易いため好ましい。
【００２０】
上記ごみ除去具１０をＵ型側溝（以下「側溝」と略称する。）２０に配置した状態を図３に示す。この図では、Ｕ型側溝の手前側の側壁を除いた状態を示している。ここで、側溝２０の横断面は、一般的に、下部が幅狭のテーパ状に形成されているため、別途取付用部材等を用いなくとも、ごみ除去具１０を側溝２０の上方から側溝２０内に押し込むだけで、図１に示す枠体２の塩ビ管２ｅと脚部３の塩ビ管３ａを図３に示す側溝２０の内壁の間に圧入して容易に取り付けることができ、側溝２０の中でごみ除去具１０が流されるおそれもない。
【００２１】
また、図３において、ごみ除去具１０の上端と、側溝２０の蓋載置用凹部２０ａとの間に隙間Ｇを形成するように、図１に示す枠体２の高さや、網体４の立体的形状の高さを調整することが好ましい。これは、網体４内に捕捉されたごみによって側溝２０内の流路が完全に閉塞することを防止し、水の流れを確保するためである。
【００２２】
さらに、ごみ除去具１０の網体のポリロープ５を、蓋載置用凹部２０ａに載置される蓋（不図示）によって押さえることが好ましい。これにより、側溝２０の中でごみ除去具１０が流されることをより確実に防止することができる。
【００２３】
以上のように、本実施の形態におけるごみ除去具１０によれば、図１〜図３に示すように、袋状の網体４内に支持部材１をゆったりと包むように収容し、開口部４ａの開口の大きさを枠体２に合わせて調整することで、支持部材１に沿って網体を取り付ける場合（支持部材１の構成部材の間に網を張るように取り付ける場合）や、平面状のステンレス等の金属からなる網体を設置する場合と比較して、網体４の表面積を増加させることができ、網体４の形状が不安定であるため、網体４に捕捉されたごみによる側溝２０の流路の閉塞が発生し難くなる。また、ごみを捕捉した後は、ごみ除去具１０を引き上げるだけで同時にごみも除去できる。
【００２４】
次に、本発明に係るごみ除去具の第２の実施の形態について図４〜図６を参照しながら説明する。尚、本実施の形態においては、ごみ除去具を丸枡に取り付ける場合について説明する。
【００２５】
本実施の形態に用いられる支持部材を図４に示す。この支持部材２１は、上記第１の実施形態の支持部材１の脚部３に代えて腕部２２を備える。腕部２２以外の構成要素には、第１の実施形態と同一の符号を付して説明を省略する。
【００２６】
腕部２２は、１本の直線状の塩ビ管からなり、枠体２のＴ字管２ｄを介して、枠体２と一体化される。
【００２７】
上記支持部材２１を備えるごみ除去具３０を図５に示す。このごみ除去具３０は、支持部材２１に加え、上記第１の実施形態と同一の構成を有する網体４及びポリロープ５を備え、網体４の開口部から支持部材２１を内部に収容した状態で、開口部が収容部４ｂ内のポリロープ５によって閉じられている。
【００２８】
ここで、上記第１の実施形態と同様に、網体４の縫い代が網体４の内側に配置されるようにすることで、縫い代が外側にある場合と比較して網体４の立体的形状を維持し易いために好ましい。
【００２９】
上記構成を有するごみ除去具３０を丸枡４０に配置した状態を図６に示す。別途取付用部材等を用いなくとも、丸枡４０内にごみ除去具３０を載置するだけでよい。また、この状態では、網体４の開口部が閉じられているため、丸枡４０に流入する流体に含まれるごみを網体４の内部に収容することはできないが、網体４の表面にごみを補足することができる。
【００３０】
以上のように、本実施の形態におけるごみ除去具３０によれば、袋状の網体４内に支持部材２１をゆったりと包むように収容し、開口部を閉じることで、支持部材２１に沿って網体を取り付ける場合（支持部材２１の構成部材の間に網を張るように取り付ける場合）や、丸枡４０内に平面状のステンレス等の金属からなる網体を設置する場合と比較して、網体４の表面積を増加させることができ、網体４の形状が不安定であるため、網体４に捕捉されたごみによる流路の閉塞が発生し難くなる。
【００３１】
尚、上記第１及び第２の実施の形態において、支持部材１、２１を塩ビ管で構成した場合について説明したが、棒状部材で構成してもよく、材料もプラスチックに限定されない。また、各種部材の形状は一例であって、上記実施の形態に限定されない。
【００３２】
また、上記両実施形態で用いる支持部材１、２１の構成部材をなるべく共通のものとし、網体４及びポリロープ５を含む構成部材一式をユーザに提供することで、ユーザが自由に用途（第１の実施形態のように側溝２０に用いるのか、第２の実施形態のように丸枡４０に用いるかなど）を選択できるようにすることで、利便性を高めることができる。
【００３３】
さらに、上記実施の形態では、本発明に係るごみ除去具１０、３０を側溝２０や丸枡４０に配置したが、角枡等他の形式の枡や、ごみを含む水が流れるその他のいずれの場所にも設置することができる。
【符号の説明】
【００３４】
１  支持部材
２  枠体
２ａ、２ｂ、２ｅ  塩ビ管
２ｃ  Ｌ字管
２ｄ  Ｔ字管
３  脚部
３ａ、３ｂ  塩ビ管
３ｃ  連結管
４  網体
４ａ  開口部
４ｂ  収容部
５  ポリロープ
１０  ごみ除去具
２０  側溝
２０ａ  蓋載置用凹部
２１  支持部材
２２  腕部
３０  ごみ除去具
４０  丸枡
Ｇ  隙間
【図１】
2019077997.tif 000003
【図２】
2019077997.tif 000004
【図３】
2019077997.tif 000005
【図４】
2019077997.tif 000006
【図５】
2019077997.tif 000007
【図６】
2019077997.tif 000008